(57)【要約】      （修正有）【課題】モップを確実に絞ることができ、絞る動作を省力化することができる省力脱水装置を提供する。【解決手段】バケツ内の片側に回転駆動装置により転動可能な脱水槽を収容する。回転駆動装置は、バケツの底の外側に装着され、バケツの底に固定され上に２つの相互に噛合した第一斜歯歯車および第二斜歯歯車が設けてある固定台座を含み、かつ固定台座上に踏むことが可能なペダルをさらに枢着する。その後、ペダルの中央の所定の箇所と第一斜歯歯車の側面との間にレバーを連結し、第二斜歯歯車上には回転軸に貫通させて固定したワンウェイクラッチが装着してある。回転軸をさらにバケツ内に貫通させ、脱水槽と結合する。【選択図】図２
0003154725.tif 000002
【実用新案登録請求の範囲】
【請求項１】
バケツと、バケツ内に収容された脱水槽と、脱水槽を回転させバケツ底部外側に装着された回転駆動装置とを備え、該回転駆動装置は、バケツ底部に固定され２つの相互に噛合した第一斜歯歯車および第二斜歯歯車が軸着してある固定台座を含み、また固定台座上に踏むことが可能なペダルが枢着され、かつペダルと第一斜歯歯車の側面との間を連結するレバーが設けられていると共に、回転軸と貫設したワンウェイクラッチを第二斜歯歯車に装着することによって、回転軸をバケツ内に貫通し、脱水槽を固設したモップの省力脱水装置。
【請求項２】
該ペダルの片側に軸部が設けてあり、軸部上に捻りばねが覆設され、かつ捻りばねの両端のフックをペダルおよび固定台座上にそれぞれ当接した請求項１に記載のモップの省力脱水装置。
【考案の詳細な説明】
【技術分野】
【０００１】
本考案は、バケツの中に足踏み式で伝動機構によってもたらされ高速回転可能な脱水槽が設けてあることにより、モップヘッドのパイルを脱水槽の中に入れ脱水作業を行うモップの省力脱水装置に関する。
【背景技術】
【０００２】
一般に、スポンジ式のモップ以外に、パイルまたはクロス式のモップがあるが、パイル（クロス）式のモップの使用方法は、先ず適切な量の水をバケツに入れ、モップを水に浸した後、手で絞り、床を拭くというものである。その後、モップが汚れた際に、同様にモップをバケツの水の中に入れて洗い、再び手でモップを絞った後、床を拭く清掃作業を行う。しかしながら、前記のモップを絞る動作は、使用者の手を汚れた水に浸すこととなり、不衛生であるだけでなく、絞るには非常に力がかかり、主婦にとって、非常に辛いことである。
【０００３】
そのため、バケツに籠状の水絞り槽を設け、モップのパイルヘッドをこの槽内に入れた後、使用者が自分でモップを回転させ、回転と押す力によって絞る方法を開発した業者がある。しかし、こうした絞る方式は、手を汚れた水に浸す必要はないが、力を入れるのが容易でなく、使用者に省力の目的を達成させることができないと共に、絞る能力には限りがあり、モップのパイルにはまだ大量の水分が含まれている。また、バケツに２つの対峙し張り合わされたローラーを有し、２つのローラーがモップパイルを挟む力により、水分を押し出す方法もあり、比較的力がかからないが、期待された理想的な状態までモップを絞ることはできない。
【考案の概要】
【考案が解決しようとする課題】
【０００４】
前記のモップを絞る作業において、省力と確実に絞ることを同時に達成できない問題を改善する。
【課題を解決するための手段】
【０００５】
本考案は、バケツの片側の空間に脱水槽を収容し、かつバケツの底部外側に空間を形成して、回転駆動装置を装着できるようにする。前記回転駆動装置は、バケツの底に固定された固定台座を備え、固定台座上に２つの相互に噛合した第一斜歯歯車と第二斜歯歯車とを軸着し、さらに固定台座に枢着し他端がバケツの外に伸び出て踏めるようにしたペダルを設け、第一斜歯歯車の側面とペダルとの間にレバーを枢設して連結した後、第二斜歯歯車上にワンウェイクラッチを装着し、かつワンウェイクラッチ上にバケツ内を貫通させ脱水槽と結合可能な回転軸を貫設する。
【考案の効果】
【０００６】
そのため、前記の本考案のペダルにおいて、上下の連続した踏む動作を行い、レバーによって第一斜歯歯車を駆動して連続した往復回転を行い、これと噛合した第二斜歯歯車を同様に往復回転させることにより、ワンウェイクラッチによって、回転軸を介して脱水槽を回転させる。脱水槽内に入れられたモップのパイルは、回転の遠心力によって、含まれた水分が充分に振り払われ、モップの省力脱水および確実に絞る作業を達成する。
【図面の簡単な説明】
【０００７】
【図１】本考案の立体概略図である。
【図２】本考案の立体分解概略図である。
【図３】本考案の側面断面図１である。
【図４】本考案の側面断面図２である。
【図５】本考案のペダルを踏んだ後に戻る概略図である。
【考案を実施するための形態】
【０００８】
本考案の目的は、バケツ上に設けられた省力足踏み伝動機構を介し、バケツ内の脱水槽を回転させることにより、脱水槽内のモップパイルに含まれた水分を振り払って乾かすことである。
【実施例】
【０００９】
図１、２および３に示すように、本考案は、バケツ１と、バケツ１内の片側に設けられた脱水槽３を収容設置可能な空間１１とを備え、かつバケツ１内の底部外側に回転駆動装置２を設置可能な空間１２が設けてある。回転駆動装置２はまた、バケツ１の底部に固定された固定台座２１を含み、固定台座２１の両側にはまた２つの対峙した支持板２１１が設けてあり、支軸２９を介して第一斜歯歯車２４を一方の支持板２１１上に軸着し、さらに第二斜歯歯車２５を設けて第一斜歯歯車２４と相互に噛合し、かつ第二斜歯歯車２５上にワンウェイクラッチ２６を装着する。その後、さらにワンウェイクラッチ２６に回転軸２８を貫通させて固定すると共に、回転軸２８の下端を固定台座２１上に軸着し、上端をバケツ１内に貫通させ、脱水槽３と結合させて固定する。
【００１０】
また、固定台座の２つの支持板２１１の上端の間にペダル２２を枢着し、ペダル２２の上端の片側に、捻りばね２３を被せることが可能な軸部２２１が設けてあり、捻りばね２３の両端のフックは、それぞれペダル２２および固定台座の支持板２１１上に当接する（図４参照）。また、さらにレバー２７の両端は、第一斜歯歯車２４の側面の枢着部２４１と、ペダル２２中央の所定の箇所の枢着部２２２にそれぞれ枢着する。
【００１１】
そのため、図４に示すように、使用者が足でペダル２２を下向きに踏むと、レバー２７を介して第一斜歯歯車２４を時計回りに転動させ、これと噛合した第二斜歯歯車２５を転動させ、ワンウェイクラッチ２６を介して回転軸２８を回転させる（図３参照）ことにより、脱水槽３を回転させる。逆に、図５に示すように、使用者の足がペダル２２を離れると、ペダル２２が捻りばね２３の弾性回復力の作用を受けて逆方向に上向きに戻ることにより、レバー２７を引き動かして第一斜歯歯車２４を逆方向に回転させると共に、これと噛合した第二斜歯歯車２５も逆方向に回転するが、回転軸２８との間はワンウェイクラッチ２６を介して軸着されているため、脱水槽３が本来の回転方向を維持したまま回転させることができる。
【００１２】
よって、使用者は、ペダル２２を上下に往復して連続して踏むだけで、脱水槽３を連続して高速回転させることができるため、脱水槽３内に入れたモップのパイルも、高速回転を受け、遠心力の作用を受けて、含まれた水分が充分に振り払われてバケツ１の中に流れ込む。
【産業上の利用可能性】
【００１３】
そのため、前記の手法は、モップを確実に絞ることができると共に、モップを絞る動作をさらに簡単にし、省力化する。
【符号の説明】
【００１４】
１  バケツ
１１,１２  空間
２  回転駆動装置
２１  固定台座
２１１  支持板
２２  ペダル
２２１  軸部
２２２  枢着部
２３  捻りばね
２４  第一斜歯歯車
２４１  枢着部
２５  第二斜歯歯車
２６  ワンウェイクラッチ
２７  レバー
２８  回転軸
２９  支軸
３  脱水槽
【図１】
0003154725.tif 000003
【図２】
0003154725.tif 000004
【図３】
0003154725.tif 000005
【図４】
0003154725.tif 000006
【図５】
0003154725.tif 000007